(57)【要約】【課題】騒音を発生する駆動モータが複数あり、いずれかの駆動モータの近傍にマイクロホンを配置せざるを得ない場合であっても、録音される音声の品質の劣化を軽減する。【解決手段】複数のマイクロホン４２、４４を配置し、ズームレンズ駆動モータ２２又はフォーカスレンズ駆動モータ２４が騒音を発生している期間には、ズームレンズ駆動モータ２２及びフォーカスレンズ駆動モータ２４の騒音を最も集音しないように配置された第２マイクロホン４４が集音した音声をメモリ６２に記憶させる。また、アイリス駆動モータ２６が騒音を発生している期間には、アイリス駆動モータ２６の騒音を最も集音しないように配置された第１マイクロホン４２が集音した音声をメモリ６２に記憶させる。尚、レベル検出部４６、４８は、マイクロホン４２、４４でそれぞれ集音された音声のレベルを検出し、ＣＰＵ８０が、いずれのマイクロホンで集音された音声を録音するかを判定する。【選択図】  図１
2005026957.tif 000002
【特許請求の範囲】
【請求項１】
音声を録音する録音装置において、
音声の録音時に騒音を発生する複数の騒音源と、
複数のマイクロホンと、
前記マイクロホンで集音された音声を録音する録音手段と、
前記騒音源が騒音を発生していない期間には、予め決められたひとつ又は複数の前記マイクロホンが集音した音声を前記録音手段により録音させ、前記騒音源が騒音を発生している期間には、前記複数の騒音源のうち騒音を発生している騒音源の騒音を最も集音しない位置に配置された前記マイクロホンが集音した音声を、前記録音手段により録音させる制御手段と、
を備えたことを特徴とする録音装置。
【請求項２】
音声を録音する録音装置において、
音声の録音時に騒音を発生する複数の騒音源と、
複数のマイクロホンと、
前記マイクロホンで集音された音声を録音する録音手段と、
前記マイクロホンごとに集音された音声のレベルを検出するレベル検出手段と、
前記騒音源が騒音を発生していない期間には、予め決められたひとつ又は複数の前記マイクロホンが集音した音声を前記録音手段により録音させ、前記騒音源が騒音を発生している期間には、前記レベル検出手段が検出した音声のレベルが最も小さい前記マイクロホンが集音した音声を、前記録音手段により録音させる制御手段と、
を備えたことを特徴とする録音装置。
【請求項３】
前記集音された音声を減衰させる減衰手段を設け、
前記制御手段は、前記騒音源が騒音を発生していない期間には前記集音された音声を前記減衰手段で減衰させることなく前記録音手段により録音させ、前記騒音源が騒音を発生している期間には前記集音された音声を前記減衰手段により所定の減衰量で減衰させた後に前記録音手段により録音させるようにしたことを特徴とする請求項１又は２に記載の録音装置。
【請求項４】
前記制御手段は、前記集音された音声のレベルに基づいて前記減衰量を決定し、前記集音された音声を前記減衰手段により前記減衰量で減衰させることを特徴とする請求項３に記載の録音装置。
【請求項５】
前記騒音源と前記減衰量とを関連付けて記憶する減衰量記憶手段を設け、前記制御手段は、前記減衰量記憶手段に記憶された前記減衰量に従って、前記音声を前記減衰手段により減衰させるようにしたことを特徴とする請求項３に記載の録音装置。
【請求項６】
前記騒音源は、ズームレンズ、フォーカスレンズ、又はアイリスを駆動する駆動手段である請求項１、２、３、４又は５に記載の録音装置。
【請求項７】
前記録音手段は、音声を回転記録媒体に記録するものであり、前記騒音源は前記回転記録媒体の駆動手段である請求項１、２、３、４、５又は６に記載の録音装置。
【発明の詳細な説明】
【０００１】
【発明の属する技術分野】
本発明は、録音装置に係り、特に騒音源を複数有した録音装置に関する。
【０００２】
【従来の技術】
従来、音声録音中にカメラ光学系の倍率の切替え（いわゆる光学ズーム）を行う際、ズームレンズを駆動する駆動モータから騒音が発生する期間、マイクロホンで集音された音声を一定の減衰量だけ減衰させるようにしたものが提案されている（例えば、特許文献１参照）。
【０００３】
【特許文献１】
特開平６−２９２０４８号公報
【０００４】
【発明が解決しようとする課題】
しかしながら、騒音源が複数ある装置では、装置を小型化しようとすると、いずれかの騒音源の近傍にマイクロホンを配置せざるを得ない場合があり、騒音源の近傍にマイクロホンを配置すると、本来の音声成分に対する騒音成分の比が大きくなって、騒音発生期間に一定の減衰量で音声を減衰させるようにした従来の技術では、装置間のばらつきに伴う音声品質の劣化が顕著になってしまう。
【０００５】
特に、録音機能付きデジタルカメラでは、小型化の要請のみでなく、手で装置を把持する部分にはマイクロホンを設けられない等、デザイン性にも起因して、駆動モータの近傍にどうしてもマイクロホンを配置せざるを得ない場合がでてくる。また、駆動モータの騒音は、空気を介してマイクロホンに伝達されるだけでなく、一般に、駆動モータとマイクロホンとの間に位置する固定部材等の固体を介してもマイクロホンに伝達されてしまう。このようなデジタルカメラにおいて、駆動モータの近傍にマイクロホンを配置すると、本来の音声成分に対する騒音成分の比が大きくなり、騒音発生期間に一定の減衰量で音声を減衰させるようにした従来の技術では、レンズの組み込み方の違いやマイクロホン感度の違い等により、騒音成分が十分に減衰されない、又は、本来の音声成分が減衰されすぎる、といった装置間のばらつきに伴う音声品質の劣化が顕著になってしまう。
【０００６】
本発明はこのような事情に鑑みてなされたもので、騒音源が複数あり、しかも、いずれかの騒音源の近傍にマイクロホンを配置せざるを得ない場合であっても、録音される音声の品質の劣化を軽減することができる録音装置を提供することを目的とする。
【０００７】
【課題を解決するための手段】
前記目的を達成するために、請求項１に記載の発明は、音声を録音する録音装置において、音声の録音時に騒音を発生する複数の騒音源と、複数のマイクロホンと、前記マイクロホンで集音された音声を録音する録音手段と、前記騒音源が騒音を発生していない期間には、予め決められたひとつ又は複数の前記マイクロホンが集音した音声を前記録音手段により録音させ、前記騒音源が騒音を発生している期間には、前記複数の騒音源のうち騒音を発生している騒音源の騒音を最も集音しない位置に配置された前記マイクロホンが集音した音声を、前記録音手段により録音させる制御手段と、を備えたことを特徴としている。
【０００８】
本発明によれば、騒音源が複数あり、しかも、いずれかの騒音源の近傍にマイクロホンを配置せざるを得ない場合であっても、録音に用いているマイクロホンの近傍で騒音が発生する際には、騒音を最も集音しないマイクロホンの音声に切り替えられて録音がされるので、騒音成分の少ない音声が録音されることになり、録音される音声の品質の劣化が軽減される。
【０００９】
また、請求項２に記載の発明は、音声を録音する録音装置において、音声の録音時に騒音を発生する複数の騒音源と、複数のマイクロホンと、前記マイクロホンで集音された音声を録音する録音手段と、前記マイクロホンごとに集音された音声のレベルを検出するレベル検出手段と、前記騒音源が騒音を発生していない期間には、予め決められたひとつ又は複数の前記マイクロホンが集音した音声を前記録音手段により録音させ、前記騒音源が騒音を発生している期間には、前記レベル検出手段が検出した音声のレベルが最も小さい前記マイクロホンが集音した音声を、前記録音手段により録音させる制御手段と、を備えたことを特徴としている。
【００１０】
本発明によれば、騒音源が複数あり、しかも、いずれかの騒音源の近傍にマイクロホンを配置せざるを得ない場合であっても、録音に用いているマイクロホンの近傍で騒音が発生する際には、騒音を最も集音しないマイクロホンの音声に切り替えられて録音がされるので、騒音成分の少ない音声が録音されることになり、録音される音声の品質の劣化が軽減される。また、同じ騒音源であっても発生する騒音の大きさが装置や条件によって異なる場合（例えば、レンズの組み込み方が装置によって異なる場合）や、発生する騒音の大きさが一定であっても集音される騒音の大きさが装置や条件によって異なる場合（例えば、マイクロホンの感度が装置によって異なる場合）であっても、最も騒音成分が少ない音声に適正に切り替えがされることになる。さらに、複数の騒音源で同時に騒音が発生するような場合であっても、最も騒音成分が少ない音声に適正に切り替えがされる。
【００１１】
また、請求項３に記載の発明は、請求項１又は２に記載の発明において、前記集音された音声を減衰させる減衰手段を設け、前記制御手段は、前記騒音源が騒音を発生していない期間には前記集音された音声を前記減衰手段で減衰させることなく前記録音手段により録音させ、前記騒音源が騒音を発生している期間には前記集音された音声を前記減衰手段により所定の減衰量で減衰させた後に前記録音手段により録音させるようにした構成となっている。
【００１２】
この構成によって、騒音が発生している期間のみ減衰が行われるので、騒音が発生していない期間における本来の音声成分を全く劣化させることなく、騒音が低減される。
【００１３】
また、請求項４に記載の発明は、請求項３に記載の発明において、前記制御手段は、前記集音された音声のレベルに基づいて前記減衰量を決定し、前記集音された音声を前記減衰手段により前記減衰量で減衰させる構成となっている。
【００１４】
この構成によって、録音中の騒音発生期間には、マイクロホンで集音された音声のレベルに基づいた減衰量で音声が減衰されるので、同じ騒音源であっても発生する騒音の大きさが装置や条件によって異なる場合（例えば、レンズの組み込み方が装置によって異なる場合）や、発生する騒音の大きさが一定であっても集音される騒音の大きさが装置や条件によって異なる場合（例えば、マイクロホンの感度が装置によって異なる場合）であっても、騒音が適正に低減される。
【００１５】
また、請求項５に記載の発明は、請求項３に記載の発明において、前記騒音源と前記減衰量とを関連付けて記憶する減衰量記憶手段を設け、前記制御手段は、前記減衰量記憶手段に記憶された前記減衰量に従って、前記音声を前記減衰手段により減衰させるようにした構成となっている。
【００１６】
この構成によって、録音中の騒音発生期間には、騒音源と関連付けて予め記憶された減衰量に従って音声が減衰されるので、発生する騒音の大きさがどの騒音源であるかによって決まり、かつ、騒音源からマイクロホンへの騒音の伝達関係が固定である場合には、騒音試験等によって得られた実績のある減衰量を予め記憶させておくことにより、騒音が適正に低減される。
【００１７】
また、請求項６に記載の発明は、請求項１、２、３、４又は５に記載の発明において、前記騒音源は、ズームレンズ、フォーカスレンズ、又はアイリスを駆動する駆動手段である構成となっている。
【００１８】
この構成によって、ズームレンズ、フォーカスレンズ、又はアイリスの駆動に伴って騒音が発生するような場合であっても、騒音成分の少ない音声が録音され、音声品質の劣化が軽減される。
【００１９】
また、請求項７に記載の発明は、請求項１、２、３、４、５又は６に記載の発明において、前記録音手段は、音声を回転記録媒体に記録するものであり、前記騒音源は前記回転記録媒体の駆動手段である構成となっている。
【００２０】
この構成によって、ハードディスクや光ディスク等の回転記録媒体への音声等の記録に伴って騒音が発生するような場合であっても、騒音成分の少ない音声が録音され、音声品質の劣化が軽減される。
【００２１】
【発明の実施の形態】
以下添付図面に従って本発明に係る録音装置の好ましい実施の形態について詳説する。
【００２２】
［第１の実施の形態］
図１は本発明に係る録音装置の第１の実施の形態を示す要部ブロック図である。
【００２３】
図１において、撮影レンズ１０は、ズームレンズ及びフォーカスレンズを有するとともに、アイリスが設けられている。
【００２４】
３つの駆動モータ（ズームレンズ駆動モータ２２、フォーカスレンズ駆動モータ２４、アイリス駆動モータ２６）は、それぞれ、ズームレンズ、フォーカスレンズ、アイリスを駆動する。
【００２５】
固体撮像素子（ＣＣＤ）３０は、数百万画素に相当する複数のセンサを有し、センサごとに入射光量に応じた電荷を蓄積するとともに、蓄積した電荷に応じた電圧の信号を出力する。
【００２６】
アナログ・フロント・エンド（ＡＦＥ）３２は、ＣＣＤ３０の出力信号に対してアナログ処理をする。具体的には、ＣＣＤ３０の出力信号を、一定周期でサンプリングし、増幅した後に、アナログからデジタルに変換する。
【００２７】
第１マイクロホン４２及び第２マイクロホン４４は、互いに異なる位置で、音声を集音する。これらのマイクロホン４２、４４には増幅器４３、４５がそれぞれ接続されており、増幅器４３、４５は、マイクロホン４２、４４の出力信号をそれぞれ所定の利得で増幅する。
【００２８】
２つのマイクロホン４２、４４と３つの駆動モータ２２、２４、２６との位置関係を図３に示す。図３において、第１マイクロホン４２は、第２マイクロホン４４と比較して、装置の内部に設けられたアイリス駆動モータ２６から離れており、アイリス駆動モータ２６で発生する騒音を集音しない位置に設けられている。また、第２マイクロホン４４は、第１マイクロホン４２と比較して、装置の内部に設けられたズームレンズ駆動モータ２２及びフォーカスレンズ駆動モータ２４から離れており、ズームレンズ駆動モータ２２及びフォーカスレンズ駆動モータ２４で発生する騒音を集音しない位置に設けられている。尚、各駆動モータ２２、２４、２６でそれぞれ発生される騒音が、各マイクロホン４２、４４にそれぞれ伝達される度合いについては、各駆動モータ２２、２４、２６と各マイクロホン４２、４４との間の距離によって決まるだけでなく、一般に、各駆動モータ２２、２４、２６と各マイクロホン４２、４４との間にある、騒音を伝達する部材の有無や材質、騒音を吸収する部材の有無や材質等によっても決まるが、ここでは、騒音の伝達の度合いが、各駆動モータ２２、２４、２６と各マイクロホン４２、４４との間の距離で決まる場合について説明する。
【００２９】
第１レベル検出部４６は、第１マイクロホン４２が集音した音声のレベルを検出する。また、第２レベル検出部４８は、第２マイクロホン４４が集音した音声のレベルを検出する。本実施の形態においては、増幅器４３、４５で増幅された後の音声信号がレベル検出部４６、４８に入力され、騒音成分を含む音声信号の振幅を検出し、この振幅を示す数値を後述のＣＰＵ８０に出力する。
【００３０】
選択部５０は、第１マイクロホン４２が集音した音声及び第２マイクロホン４４が集音した音声のうち、いずれかの音声を選択して出力する。尚、選択部５０は、制御端子を有しており、この制御端子に後述のＣＰＵ８０から入力された信号に従って、音声を選択する。
【００３１】
自動レベル調整器（ＡＬＣ）５２は、選択部５０の出力信号のレベルを、所要のレベルに調整する。
【００３２】
電圧制御増幅器（ＶＣＡ）５４は、ＡＬＣ５２の出力信号を減衰させる。このＶＣＡ５４は、減衰量を制御するための制御端子を有しており、この制御端子の印加電圧に応じた利得で音声を減衰させる。
【００３３】
アナログ・デジタル変換器（ＡＤＣ）５６は、ＶＣＡ５４の出力信号をアナログからデジタルに変換する。
【００３４】
メモリ６２は、ＡＦＥ３２でアナログ処理された画像及びＡＤＣ５６から出力された音声を一時記憶する。
【００３５】
記録部６４は、メモリ６２に一時記憶された画像や音声を、メモリカード、ハードディスク、光ディスク等の記録媒体に記録する。
【００３６】
表示部７２は、メモリ６２に一時記憶された画像又は記録部６４に記録された画像を表示する。
【００３７】
操作部７０は、モード設定ダイヤル、ズームボタン、シャッタボタン等を有する。ここで、モード設定ダイヤルは、動画像を録画させるとともに撮像時の音声を録音させる動画モード、静止画像を撮影する静止画モード、音声の録音のみをさせる録音モード等のモードを設定するものである。ズームボタンは、画像のズーム（拡大又は縮小）を指示するものである。シャッタボタンは、動画像の録画や録音の開始又は終了、オートフォーカス、静止画の撮影等を指示するものであり、半押し状態を検出するスイッチと全押し状態を検出するスイッチとを有する。
【００３８】
中央処理装置（ＣＰＵ）８０は、モード設定ダイヤルで設定されたモードとシャッタボタンの状態とに基づいて利用者からの指示を判定し、判定結果に基づいて各部を統括制御する。例えば、動画モードでは、シャッタボタンが全押しでワンプッシュされた時、動画像の録画及び音声の録音の開始と判定し、シャッタボタンが全押しで再度ワンプッシュされた時、動画像の録画及び音声の録音の終了と判定する。静止画モードでは、シャッタボタンが半押しされた時、オートフォーカスと判定し、全押しでワンプッシュされた時、静止画像の撮影と判定する。録音モードでは、シャッタボタンが全押しでワンプッシュされた時、音声の録音のみの開始と判定し、シャッタボタンが全押しで再度ワンプッシュされた時、音声の録音の終了と判定する。
【００３９】
また、ＣＰＵ８０は、ズーム制御、オートフォーカス制御、自動露光制御、ホワイトバランス制御等の撮像に関する制御を行う。ここで、ズーム制御では、ズームレンズ駆動モータ２２を介して、ズームレンズを適当な倍率となる位置に移動させる。オートフォーカス制御では、フォーカスレンズ駆動モータ２４を介して、フォーカスレンズを合焦位置に移動させる。自動露光制御では、アイリス駆動モータ２６を介して、アイリスが適正な絞り開口となるように制御する。
【００４０】
また、ＣＰＵ８０は、音声録音時に騒音源が騒音を発生している期間（騒音発生期間）を判定し、騒音源が騒音を発生していない期間には、第１マイクロホン４２が集音した音声を選択部５０に選択させて、第１マイクロホン４２が集音した音声をメモリ６２に一時記憶させ、騒音発生期間には、第１マイクロホン４２及び第２マイクロホン４４のうちレベル検出部４６、４８が検出した音声のレベルが、最も小さい方のマイクロホンで集音された音声を選択部５０に選択させて、選択部５０で選択された音声をメモリ６２に一時記憶させる。尚、音声録音時の騒音としては、ズームレンズ、フォーカスレンズ又はアイリスを機械的に駆動する際に、それぞれズームレンズ駆動モータ２２、フォーカスレンズ駆動モータ２４、アイリス駆動モータ２６から発生する騒音がある。その他騒音としては、ハードディスク、光ディスク等の回転記録媒体に画像や音声を記録する際に、記録部６４の駆動モータから発生する騒音がある。
【００４１】
また、ＣＰＵ８０は、騒音源が騒音を発生していない期間には、マイクロホン４２が集音した音声を、ＶＣＡ５４で減衰させることなくメモリ６２に一時記憶させ、騒音発生期間には、マイクロホン４２又は４４が集音した音声をＶＣＡ５４で減衰させた後にメモリ６２に一時記憶させる。
【００４２】
また、ＣＰＵ８０は、選択部５０が選択したマイクロホンで集音された音声のレベルに基づいて、音声の減衰量を決定し、ＶＣＡ５４により音声を減衰させるようになっている。尚、騒音成分のレベルより本来の音声成分のレベルが高い時には、レベル検出部４６、４８が検出したレベルは騒音成分のレベルとは相違することになるが、駆動モータ２２、２４、２６の騒音発生期間は短く、この騒音発生期間において騒音成分よりレベルが高い音声成分が集音される確率は小さいので、レベル検出部４６、４８が検出したレベルを騒音成分のレベルとして用いてよいし、騒音発生期間にレベル検出部４６、４８で検出されたレベルの平均値を騒音成分のレベルとして用いるようにしてもよい。
【００４３】
また、ＣＰＵ８０は、ＣＣＤ３０で撮像された画像を、メモリ６２に一時記憶させる。
【００４４】
また、ＣＰＵ８０は、シャッタボタンの状態に基づいて動画像の録画や音声の録音の終了と判定した時、メモリ６２に一時記憶された動画像や音声を、記録部６４を介して記録媒体に記録する。
【００４５】
次に、上記構成の録音装置の動作について、図１を用いて説明する。
【００４６】
まず、操作部７０のモード設定ダイヤルで動画モードが設定されている場合について説明する。
【００４７】
動画モードでは、操作部７０のシャッタボタンが全押しでワンプッシュされた時、ＣＰＵ８０によって動画像の録画及び音声の録音の開始と判定される。被写体の画像は、撮影レンズ１０を介してＣＣＤ３０の受光面に結像され、ＣＣＤ３０のセンサごとに入射光量に応じた電荷として蓄積される。ＣＣＤ３０の出力信号は、ＡＦＥ３２でアナログ処理された後、メモリ６２に動画像として一時記憶される。
【００４８】
音声については、ＣＰＵ８０の制御によって、第１マイクロホン４２が集音した音声及び第２マイクロホン４４が集音した音声のうち、選択部５０が選択した音声が、メモリ６２に一時記憶される。具体的には、２つのマイクロホン４２、４４が集音した音声は、増幅器４３、４５でそれぞれ増幅された後、選択部５０にそれぞれ入力される。ここで選択部５０は、複数の騒音源がいずれも騒音を発生していない期間には、ＣＰＵ８０の指示により第１マイクロホン４２の音声を選択する。したがって、第１マイクロホン４２で集音された音声が、選択部５０から出力され、ＡＬＣ５２、ＶＣＡ５４、及びＡＤＣ５６を介して、メモリ６２に一時記憶される。尚、ＶＣＡ５４は、複数の騒音源がいずれも騒音を発生していない期間には、ＣＰＵ８０の指示により音声を減衰しないようになっている。
【００４９】
音声録音中に操作部７０のズームボタンでズームが指示された時、ＣＰＵ８０の制御によりズームレンズ駆動モータ２２がズームレンズを駆動し、ズームレンズ駆動モータ２２が騒音を発生する。このような音声録音中の騒音発生期間には、ＣＰＵ８０は、第１レベル検出部４６が検出した音声のレベルと第２レベル検出部４８が検出した音声のレベルとを比較して、よりレベルが小さい方のマイクロホンの音声を選択部５０に選択させる。ここで、第２マイクロホン４４が、第１マイクロホン４２と比較して、ズームレンズ駆動モータ２２の騒音を集音しない位置にあるので、第２レベル検出部４８の検出レベルが第１レベル検出部４６の検出レベルより小さくなって、ＣＰＵ８０の指示により、選択部５０が第２マイクロホン４４の音声を選択する。したがって、第２マイクロホン４４で集音された音声が、選択部５０から出力され、ＡＬＣ５２、ＶＣＡ５４、及びＡＤＣ５６を介して、メモリ６２に一時記憶される。ここで、ＣＰＵ８０は、第２マイクロホン４４の音声のレベル、即ち第２レベル検出部４８が検出したレベルに基づいて、音声の減衰量を決定し、ＶＣＡ５４で音声を減衰させる。具体的には、第２レベル検出部４８の検出レベルを騒音成分のレベルとみなして、この検出レベルと騒音発生期間前の検出レベルとの差分だけ減衰される利得となるように、ＶＣＡ５４の制御端子に電圧を印加する。したがって、ズームレンズの機械的な駆動に伴う騒音が排除され、メモリ６２に音声が一時記憶される。
【００５０】
尚、音声録音中にフォーカスレンズ駆動モータ２４が駆動される際には、フォーカスレンズ駆動モータ２４の騒音を最も集音しない位置にある第２マイクロホン４４で集音された音声がメモリ６２に一時記憶される。また、音声録音中にアイリス駆動モータ２６が駆動される際には、アイリス駆動モータ２６の騒音を最も集音しない位置にある第１マイクロホン４２で集音された音声がメモリ６２に一時記憶される。
【００５１】
そして、駆動モータ２２、２４、２６による機械的な駆動が終了した時、即ち騒音発生期間の終了時には、ＣＰＵ８０から選択部５０に第１マイクロホン４２の音声の選択が指示され、録音中に再び騒音が発生される時まで、第１マイクロホン４２で集音された音声がメモリ６２に一時記憶される。
【００５２】
操作部７０のシャッタボタンが全押しで再度ワンプッシュされた時には、ＣＰＵ８０によって動画像の録画及び音声の録音の終了と判定され、メモリ６２に一時記憶された動画像及び音声が、ＣＰＵ８０の制御により、記録部６４を介して記録媒体に記録される。
【００５３】
尚、メモリ６２の容量には限りがあるので、一般に、動画像の解像度等に応じた一定時間の経過時にメモリ６２内の動画像及び音声を記録媒体に記録して動画像の録画及び音声の録音を強制終了するか、又は、一定時間が経過するごとにメモリ６２内の動画像及び音声を記録媒体に順次記録するとともに動画像の録画及び音声の録音を継続する（連続録画をする）。
【００５４】
上記連続録画の場合、メモリカード等の記録媒体では、記録媒体への記録に伴う記録部６４の駆動モータの駆動音は発生しないので、記録に伴う駆動音が音声に取り込まれることはない。しかしながら、記録に伴って駆動モータの駆動音等を発生させる回転記録媒体では、記録に伴う駆動音が音声に取り込まれてしまうことになる。そこで、このような回転記録媒体を用いる場合、音声録音中の騒音発生期間には、ＣＰＵ８０は、第１レベル検出部４６が検出した音声のレベルと第２レベル検出部４８が検出した音声のレベルとを比較して、よりレベルが小さいマイクロホンの音声を選択部５０に選択させる。選択部５０から出力された音声は、ＡＬＣ５２、ＶＣＡ５４、及びＡＤＣ５６を介して、メモリ６２に一時記憶される。また、ＣＰＵ８０は、選択部５０が選択したマイクロホンの音声のレベルに基づいて、音声の減衰量を決定し、ＶＣＡ５４で音声を減衰させる。したがって、記録部６４の機械的な駆動に伴う騒音がほとんど排除され、メモリ６２に音声が一時記憶されることになる。そして、記録媒体への記録が終了した時、即ち録音中の騒音発生期間の終了時には、ＣＰＵ８０から選択部５０に第１マイクロホン４２の選択が指示され、録音中に再び騒音が発生される時まで、第１マイクロホン４２で集音された音声がメモリ６２に一時記憶される。
【００５５】
尚、記録媒体が、メモリカードのような無騒音の記録媒体であるか、ハードディスクや光ディスクのような回転記録媒体であって記録時に騒音発生を伴う記録媒体であるかは、ＣＰＵ８０によって判定され、騒音発生を伴う記録媒体であると判定された場合にのみ、レベル検出部４６、４８が検出したレベルに基づく音声の選択と、ＶＣＡ５４による音声の減衰とが行われる。
【００５６】
操作部７０のモード設定ダイヤルで静止画モードが設定されている場合については、音声の録音は行わず、静止画像の撮像及び記録のみ行うようになっているので、当然のことながら騒音が録音されることがない。なお、静止画像に関連付けて短時間の音声メモを記録媒体に記録させる機能もあるが、ＣＰＵ８０の制御により、メモリ６２に音声を一時記憶させた後に記録媒体に記録させるようになっているので、音声メモの録音時に記録部６４の騒音が録音されることもない。
【００５７】
また、操作部７０のモード設定ダイヤルで録音モードが設定されている場合には、音声の録音のみが行われる。録音モードでは、ズームボタンの押下のような撮像に関する操作がされても、このような録音と無関係な操作はＣＰＵ８０によって無効とされ撮像レンズ１０の駆動は排除されるようになっているので、駆動モータ２２、２４、２６での騒音は発生しない。ただし、回転記録媒体への記録時には回転媒体への記録に伴う騒音が発生してしまう場合がある。そこで、このような回転記録媒体を用いる場合、音声録音中の駆動発生期間には、ＣＰＵ８０は、第１レベル検出部４６が検出した音声のレベルと第２レベル検出部４８が検出した音声のレベルとを比較して、よりレベルが小さいマイクロホンの音声を選択部５０に選択させる。また、ＣＰＵ８０は、選択部５０が選択したマイクロホンの音声のレベルに基づいて、音声の減衰量を決定し、ＶＣＡ５４で音声を減衰させる。したがって、記録部６４の機械的な駆動に伴う騒音がほとんど排除され、メモリ６２に音声が一時記憶される。
【００５８】
以上説明した上記実施の形態に係る録音装置によれば、騒音源が複数あり、しかも、いずれかの騒音源の近傍にマイクロホンを配置せざるを得ない場合であっても、録音に用いているマイクロホンの近傍で騒音が発生する際には、騒音を最も集音しないマイクロホンの音声に切り替えられて録音がされるので、騒音成分の少ない音声が録音されることになり、録音音声の品質劣化が軽減される。
【００５９】
また、同じ騒音源であっても発生する騒音の大きさが装置や条件によって異なる場合（例えば、レンズの組み込み方が装置によって異なる場合）や、発生する騒音の大きさが一定であっても集音される騒音の大きさが装置や条件によって異なる場合（例えば、マイクロホンの感度が装置によって異なる場合）であっても、最も騒音が小さい音声に適正に切り替えされる。さらに、複数の騒音源で同時に騒音が発生するような場合であっても、最も騒音成分が少ない音声に適正に切り替えされる。
【００６０】
また、録音中の騒音発生期間には、マイクロホンで集音された音声のレベルに基づいた減衰量で音声が減衰されるので、同じ騒音源であっても発生する騒音の大きさが装置や条件によって異なる場合（例えば、レンズの組み込み方が装置によって異なる場合）や、発生する騒音の大きさが一定であっても集音される騒音の大きさが装置や条件によって異なる場合（例えば、マイクロホンの感度が装置によって異なる場合）であっても、騒音が適正に低減される。
【００６１】
［第２の実施の形態］
図２は本発明に係る録音装置の第２の実施の形態を示す要部ブロック図である。尚、図１に示した録音装置と共通する部分には同一の符号を付し、その詳細な説明は省略する。
【００６２】
図１に示した第１の実施の形態では、レベル検出部４６、４８を設け、レベル検出部４６、４８で検出されたレベルに基づいて選択部５０に音声を選択させるようにしたが、図２に示す第２の実施の形態では、騒音を発生している騒音源がどの騒音源であるかに基づいて選択部５０に音声を選択させるようにした点で相違する。また、図１に示した第１の実施の形態では、レベル検出部４６、４８で検出されたレベルに基づいて音声の減衰量を決定するようにしたが、図２に示す第２の実施の形態では、メモリ６２が、騒音源と音声の減衰量とを関連付けて記憶しており、メモリ６２に記憶された減衰量に従って音声を減衰させるようにした点で相違する。
【００６３】
例えば、動画モードで動画像の録画及び音声の録音を開始した時、ＣＰＵ８０は、第１マイクロホン４２が集音した音声を選択部５０に選択させ、この選択部５０で選択された音声をメモリ６２に一時記憶させる。ここで、操作部７０のズームボタンでズームが指示された時、ＣＰＵ８０は、第２マイクロホン４４からの音声を選択部５０に選択させた後に、ズームレンズ駆動モータ２２がズームレンズを駆動する。尚、第２マイクロホン４４は第１マイクロホン４２と比較して、ズームレンズ駆動モータ２２の騒音を集音しない位置に配置されている。録音中であってズームレンズ駆動モータ２２がズームレンズを駆動している期間、即ち録音中の騒音発生期間には、第２マイクロホン４４で集音された音声が、選択部５０から出力され、ＡＬＣ５２、ＶＣＡ５４、及びＡＤＣ５６を介して、メモリ６２に一時記憶される。ここで、ＣＰＵ８０は、メモリ６２を参照し、騒音源のズームレンズ駆動モータ２２に対応した減衰量で、ＶＣＡ５４に音声を減衰させる。メモリ６２には、騒音源（ズームレンズ駆動モータ２２、フォーカスレンズ駆動モータ２４、アイリス駆動モータ２６等）ごとに、予め行なわれた試験結果に基づく減衰量が記憶されている。ここで、メモリ６２に記憶された減衰量は、ＶＣＡ５４の制御端子への印加電圧値又は印加電圧に対応した情報である。尚、駆動モータと減衰量とは１対１の関係である必要はなく、同一の駆動モータであっても異なる回転数で回転させることがある場合、その回転数毎に減衰量を記憶させてもよい。このようにメモリ６２には、騒音源ごとに適正な減衰量が予め記憶されており、この減衰量が用いられるので、ズームレンズの機械的な駆動に伴う騒音がほとんど排除された音声が録音される。
【００６４】
そして、ズームレンズ駆動モータ２２による機械的な駆動が終了した時、即ち騒音発生期間の終了時には、ＣＰＵ８０から選択部５０に第１マイクロホン４２の音声の選択が指示され、録音中に再び騒音が発生される時まで、第１マイクロホン４２で集音された音声がメモリ６２に一時記憶される。動画像の録画及び音声の録音を終了する時には、メモリ６２に一時記憶された画像及び音声が、記録部６４を介して記録媒体に記録される。
【００６５】
尚、上述の第１及び第２の実施の形態において、騒音源が騒音を発生していない期間は、第１マイクロホン４２の音声を選択部５０で選択させる例を説明したが、本発明は、このような場合に限るものではない。例えば、騒音が発生していない期間は、第１マイクロホン４２の音声及び第２マイクロホン４４の音声の両方を選択し、第１マイクロホン４２が集音した音声と第２マイクロホン４４が集音した音声とをステレオの音声としてメモリ６２に一時記憶し、騒音発生期間には、騒音を発生している騒音源の騒音を最も集音しないマイクロホンのみで集音された音声を、モノラルの音声としてメモリ６２に一時記憶するようにしてもよい。尚、駆動モータ２２、２４、２６の駆動期間は全体の録音時間と比較して非常に短いので、駆動モータ２２、２４、２６の駆動期間のみモノラルで録音しても、音声品質の劣化はほとんど感じられない。また、マイクロホンの位置は、図３に示した位置に限るものでないことは言うまでもない。例えば、マイクロホンを装置の前面と下面とにそれぞれ配置してもよい。さらに、マイクロホンの数は２つに限るものでなく、３つ以上配置してもよい。
【００６６】
また、上述の第１及び第２の実施の形態において、騒音成分の大小関係が騒音源とマイクロホンとの距離によって決まる例を説明したが、騒音源とマイクロホンとの間の騒音を伝達する部材や騒音を吸収する部材の有無及び材質等によっても、騒音成分の大小関係が決まることは言うまでもない。また、騒音源からマイクロホンへの騒音の伝達の低減についても併せて対策を実施すれば、よりよい効果が得られることも言うまでもない。
【００６７】
また、上述の第１及び第２の実施の形態において、騒音成分の除去を音声の減衰によって行う例について説明したが、このような音声の減衰は、騒音発生期間においてのみ音声のレベルを一様に減衰するようにしてもよいが、騒音成分が含まれる周波数帯域でのみ音声を減衰するようにしてもよい。
【００６８】
また、上述の第１及び第２の実施の形態において、駆動モータによる機械的な駆動の開始から終了までを騒音発生期間と判定する例を説明したが、本発明は、このような場合に限るものではない。例えば、マイクロホンの出力信号に基づいて騒音を検出する騒音検出手段を設けて騒音発生期間を判定してもよいし、例えば、マイクロホンの出力信号にフーリエ変換を施して周波数分析をすることにより騒音を検出する騒音検出手段を設けて騒音発生期間を判定してもよい。上記の騒音検出手段は、ＣＰＵ８０によって構成すれば、装置のコストを上げることもない。また、例えば、騒音発生開始時点からの経過時間をタイマで計時し、騒音発生開始から一定期間経過後をＣＰＵ８０で騒音発生期間の終了と判定するようにしてもよい。
【００６９】
また、駆動モータを騒音源として説明したが、これら以外の騒音源であっても、録音時に騒音を発生する騒音源があれば、騒音を発生している騒音源の騒音を最も集音しないマイクロホンが集音した音声を、録音するようにすればよい。
【００７０】
また、動画像及び音声をメモリ６２に一時記憶した後に記録媒体に記録する例について説明したが、メモリ６２の容量が十分大きければ、記録部６４を設けないで、動画像や音声をメモリ６２に記録させておいてもよい。
【００７１】
また、本発明に係る録音装置は、画像や音声を光ディスク等に記録する動画カメラ（ディスクムービー、ＤＶＤムービー）や、録音のみ行う録音装置も含む。
【００７２】
尚、騒音とは、人が騒がしいと感じる音である。したがって、人の可聴帯域外の音を発生する音源については無視してもよいし、人の可聴帯域内であっても人が騒がしいとほとんど感じないような周波数又はレベルの音を発生する音源についても同様に無視してもよい。
【００７３】
【発明の効果】
以上説明したように本発明によれば、騒音源が複数あり、しかも、いずれかの騒音源の近傍にマイクロホンを配置せざるを得ない場合であっても、録音に用いているマイクロホンの近傍で騒音が発生する際には、騒音を最も集音しないマイクロホンの音声に切り替えられて録音がされるので、騒音成分の少ない音声が録音されることになり、録音される音声の品質の劣化が軽減される。
【図面の簡単な説明】
【図１】本発明に係る録音装置の第１の実施の形態の構成を示す要部ブロック図
【図２】本発明に係る録音装置の第２の実施の形態の構成を示す要部ブロック図
【図３】本発明に係る録音装置の第１及び第２の実施の形態におけるマイクロホンと駆動モータとの位置関係の例を示す説明図
【符号の説明】
１０…撮影レンズ、２２、２４、２６…駆動モータ、３０…ＣＣＤ、３２…ＡＦＥ、４２、４４…マイクロホン、４６、４８…レベル検出部（レベル検出手段）、５０…選択部、５２…ＡＬＣ、５４…ＶＣＡ（減衰手段）、５６…ＡＤＣ、６２…メモリ（減衰量記憶手段）、６４…記録部、７０…操作部、７２…表示部、８０…ＣＰＵ（制御手段）
【図１】
2005026957.tif 000003
【図２】
2005026957.tif 000004
【図３】
2005026957.tif 000005